(57)【要約】【課題】筋肉や骨格に傷付くことがなく、効果がより良い且つ全面的である連動式ストレッチフィットネス器具を提供する。【解決手段】ベースと背板、制動桿、ハンドルベース及び主動制御器からなり、ベースは椅子ベース部があり、椅子ベース部が後方により背板に軸設され、また、椅子ベース部の下方に、後方へ向かって背板に軸設される部位に近くなり、前方へ向かって背板に軸設される部位から遠くなるような移動軌道が設けられ、背板は若干の回転できるローラーが設けられ、裏側に嵌合管が設置され、制動桿は底部にホイール体が設けられ、上段に調整段が設けられ、ハンドルベース、結合部とハンドルがあり、主動制御器は一端がベースに軸設され、もう一端が背板に軸設され、伸縮動作を行う能力を持つ連動式ストレッチフィットネス器具である。【選択図】図２
0003123583.tif 000002
【実用新案登録請求の範囲】
【請求項１】
ベースと、背板と、制動桿と、ハンドルベースと、主動制御器とからなり、ベースにパッドがあり、
ベースに、椅子ベース部があり、当該椅子ベース部が、後方により背板に軸設され、また、当該椅子ベース部の下方に、後方へ向かって背板に軸設される部位に近くなり、前方へ向かって背板に軸設される部位から遠くなるような移動軌道が設けられ、当該背板の裏側に嵌合管が設置され、当該制動桿の底部にホイール体が設けられ、当該ハンドルベースが当該制動桿に結合され、そして、ハンドルが設置され、主動制御器の一端が、ベースに軸設され、もう一端が、背板に軸設され、伸縮動作を行う能力を持ち、
上記の構造により、当該制動桿が、当該背板の嵌合管に嵌合され、当該嵌合管の中で、上下移動し、また、当該制動桿の上段が、嵌合管から露出し、当該ハンドルベースが、当該露出段に結合され、また、当該制動桿の底部にあるホイール体が、移動軌道の上に位置し、そして、移動軌道に沿って移動でき、また、当該主動制御器が伸縮することにより、当該背板が、押されたり引張られたりして、傾斜角度を調整し、当該背板が傾斜度を調整する時、当該制動桿が、嵌合管において、それに合わせて伸縮して長さを調整する、
ことを特徴とする連動式ストレッチフィットネス器具。
【請求項２】
当該移動軌道は、円弧状であることを特徴とする請求項１に記載の連動式ストレッチフィットネス器具。
【請求項３】
当該移動軌道は、平面状であることを特徴とする請求項１に記載の連動式ストレッチフィットネス器具。
【請求項４】
当該制動桿の上段に、調整段が設けられ、ハンドルベースに、結合部が設けられ、ハンドルベースが、結合部によって調整段に結合され、異なるユーザーの身長や手の長さに合わせて、調整段により、ハンドルベースの位置を調整することを特徴とする請求項１に記載の連動式ストレッチフィットネス器具。
【請求項５】
当該背板に、若干の回転できるローラーが設けられることを特徴とする請求項１に記載の連動式ストレッチフィットネス器具。
【請求項６】
当該ローラーに、若干のマッサージ粒が散在することを特徴とする請求項５に記載の連動式ストレッチフィットネス器具。
【考案の詳細な説明】
【技術分野】
【０００１】
本考案は、ユーザーが健康のために用いる連動式ストレッチフィットネス器具に関し、特に、体の上半身のための運動やストレッチに供し、健康体やそうではない人とも利用できる連動式ストレッチフィットネス器具に関する。
【背景技術】
【０００２】
フィットネス器具は、様々であり、設計によって、フィットネスの効果が異なり、既存のストレッチのためのフィットネス器具は、大部分が、足首部だけについてのストレッチや背部だけについての引張りであり、引張り部位が、単一の部位に限られるだけでなく、引張る時、体の重量を利用し、例えば、背部の引張りのためのフィットネス器具であれば、曲板を平らぎ、ユーザーが、当該曲板に横になり、体の重量により、ユーザーの背部に対して、ストレッチの効果が得られ、このような自身の重量によるストレッチは、瞬間の地からが激しすぎるため、傷付き易い恐れがあり、また、曲板の上に横になっている場合、例えば、起きる時、起きることを補助する設計が無いため、自分の力により起きなければならなく、特に、ユーザーが身体障害者であれば、使用不可になり、又は、他の人の補助下で、やっと使用でき、そのため、従来のストレッチフィットネス器具は、実用ではないところが一杯ある。
【考案の開示】
【考案が解決しようとする課題】
【０００３】
本考案の目的は、主動制御器の伸縮により、背板の傾斜度を調整し、また、傾斜度の変化により、制動桿の長さを変化し、主動且つ緩和であるストレッチ方式により、使用する時、筋肉や骨格に傷付くことが無く、また、使用の過程において、背部に対してマッサージするだけでなく、上半身全体が、ストレッチ動作を繰り返して、より全面的な且つ良い効果が得られ、また、全ての人(身体障害者を含む)に適用される連動式ストレッチフィットネス器具を提供する。
【課題を解決するための手段】
【０００４】
請求項１の考案は、ベースと、背板と、制動桿と、ハンドルベースと、主動制御器とからなり、ベースにパッドがあり、ベースに、椅子ベース部があり、当該椅子ベース部が、後方により背板に軸設され、また、当該椅子ベース部の下方に、後方へ向かって背板に軸設される部位に近くなり、前方へ向かって背板に軸設される部位から遠くなるような移動軌道が設けられ、当該背板の裏側に嵌合管が設置され、当該制動桿の底部にホイール体が設けられ、当該ハンドルベースが当該制動桿に結合され、そして、ハンドルが設置され、主動制御器の一端が、ベースに軸設され、もう一端が、背板に軸設され、伸縮動作を行う能力を持ち、上記の構造により、当該制動桿が、当該背板の嵌合管に嵌合され、当該嵌合管の中で上下移動し、また、当該制動桿の上段が、嵌合管から露出し、当該ハンドルベースが、当該露出段に結合され、また、当該制動桿の底部にあるホイール体が、移動軌道の上に位置し、そして、移動軌道に沿って移動でき、また、当該主動制御器が伸縮することにより、当該背板が、押されたり引張られたりして、傾斜角度を調整し、当該背板が傾斜度を調整する時、当該制動桿が、嵌合管において、それに合わせて伸縮して長さを調整する、ことを特徴とする連動式ストレッチフィットネス器具である。
【０００５】
請求項２の考案は、当該移動軌道が、円弧状であることを特徴とする請求項１に記載の連動式ストレッチフィットネス器具である。
【０００６】
請求項３の考案は、当該移動軌道が、平面状であることを特徴とする請求項１に記載の連動式ストレッチフィットネス器具である。
【０００７】
請求項４の考案は、当該制動桿の上段に、調整段が設けられ、ハンドルベースに、結合部が設けられ、ハンドルベースが、結合部によって調整段に結合され、異なるユーザーの身長や手の長さに合わせて、調整段により、ハンドルベースの位置を調整することを特徴とする請求項１に記載の連動式ストレッチフィットネス器具である。
【０００８】
請求項５の考案は、当該背板に、若干の回転できるローラーが設けられることを特徴とする請求項１に記載の連動式ストレッチフィットネス器具である。
【０００９】
請求項６の考案は、当該ローラーに、若干のマッサージ粒が散在することを特徴とする請求項５に記載の連動式ストレッチフィットネス器具である。
【考案を実施するための最良の形態】
【００１０】
図１乃至３のように、ベース１０と、背板２０と、制動桿３０と、ハンドルベース４０と、主動制御器５０とからなり、当該ベース１０は、パッド６０が設けられ、また、椅子ベース部１１があり、当該椅子ベース部１１の後方が、背板２０に軸設され、また、当該椅子ベース部１１の下方に、移動軌道１２が設けられ、当該移動軌道１２が、後方へ向かって背板２０に軸設される部位に近くなり、前方へ向かって背板２０に軸設される部位から遠くなるよう、円弧状であり、背板２０は、若干の回転できるローラー２１が設けられ、当該ローラー２１に、若干のマッサージ粒２２が散在し、裏側に、嵌合管２３が設置され、制動桿３０は、底部にホイール体３１が設けられ、上段に、調整段３２が設けられ、ハンドルベース４０は、結合部４１とハンドル４２とがあり、主動制御器５０は、一端が、ベース１０に軸設され、もう一端が、背板２０に軸設され、伸縮動作を行う能力を持つ。
【００１１】
その構造は、図２のようであり、制動桿３０は、背板２０の嵌合管２３に嵌設され、制動桿３０が、当該嵌合管の中で上下移動でき、また、当該制動桿３０の上段が、嵌合管２３から露出し、当該ハンドルベース４０が、当該露出段の調整段３２に結合され、当該制動桿３０の底部にあるホイール体３１が、移動軌道１２の上に位置し、そして、移動軌道１２に沿って移動でき、また、主動制御器５０が伸縮することにより、背板２０が、押されたり引張られたりして、傾斜角度を調整し、背板２０が傾斜度を調整する時、制動桿３０が、嵌合管２３において、それに合わせて伸縮して長さと位置を調整する。
【００１２】
ハンドルベース４０は、制動桿３０の上端に結合され、結合部４１と調整段３２により、異なるユーザーの身長や手の長さに合わせて、ハンドルベース４０の位置が調整され、図４のようである。
【００１３】
図５は、その動作を説明するための図であり、主動制御器５０が押し出されて伸長した時、背板２０が、前へ上へ押され、背板２０とベース１０との間に、垂直に近い比較的小さい角度になり、嵌合管２３が、直下にある移動軌道１２との距離が短くなり、これにより、制動桿３０が、移動軌道１２により、上へ押され、また、それとともに、ハンドルベース４０も上昇し、逆に、図６のように、主動制御器５０が、引き戻されて短縮した時、背板２０が、少しずつ後へ下へ引張られて傾斜になり、そして、パッド６０の平面より低い位置に着き、ベース１０との角度が大きくなり、嵌合管２３が、直下にある移動軌道１２との距離が少しずつ遠くなり、制動桿３０が、自由降下や重力により、ホイール体３１で移動軌道１２に沿って前へロールし、それとともに、嵌合管２３が、下へ伸ばし、そして、上方のハンドルベース４０もそれに連動して降下し、背板２０の下へ傾斜する角度が最大限になると、制動桿３０の下端にあるホイール体３１が、移動軌道１２の端部によって制限され、そのため、主動制御器５０が再び押されて伸長する時、背板２０とハンドルベース４０とが、続いて、もう一つのサイクルを繰り返す。
【００１４】
ユーザーが使用する時、まず、主動制御器５０が伸長することにより(図７を参照しながら)、背板２０が立てられ、ユーザーが、ベース１０のパッド６０の上に着席し、そして、背部を背板２０のローラー２１に凭れかかり、これにより、背板２０が、繰り返して直立したり傾斜したりする時、ユーザーの背部が、背板２０の曲面により、ストレッチやマッサージを受け、上半身全体が、制動桿３０とハンドルベース４０により、上へストレッチされ(図８を参照しながら)、これにより、重複にストレッチの効果が得られる。
【００１５】
また、ベース１０の移動軌道１２は、円弧状であってもよく(図１乃至8を参照しながら)、平面状であってもよく(図９を参照しながら)、円弧状であっても平面状であっても、等価の効果が得られる。
【００１６】
上記の具体的な実施例の構造によれば、主動制御器５０の伸縮により背板２０の傾斜度を調整し、また、傾斜度の変化により、制動桿３０の長さが変化し、主動且つ緩和であるストレッチ方式により、使用する時、筋肉や骨格に傷付くことが無く、また、使用の過程において、背部に対してストレッチ動作を繰り返すだけでなく、マッサージの効果も得られ、より全面的且つ良い効果が得られ、運動とストレッチが必要とする人(卒中等の身体障害者を含む)に適用する。
【図面の簡単な説明】
【００１７】
【図１】本考案の立体組立て図
【図２】本考案の他の角度からの構造の立体組立て図
【図３】本考案の立体分解図
【図４】本考案の側面図
【図５】本考案の背板が直立する時の構造図
【図６】本考案の背板が横になる時の構造図
【図７】本考案の直立状態図
【図８】本考案の横になる状態図
【図９】本考案の移動軌道の他の実施例図
【符号の説明】
【００１８】
１０                 ベース
１１                 椅子ベース部
１２                 移動軌道
２０                 背板
２１                 ローラー
２２                 マッサージ粒
２３                 嵌合管
３０                 制動桿
３２                 調整段
３１                 ホイール体
４０                 ハンドルベース
４１                 結合部
４２                 ハンドル
５０                 主動制御器
６０                 パッド
【図１】
0003123583.tif 000003
【図２】
0003123583.tif 000004
【図３】
0003123583.tif 000005
【図４】
0003123583.tif 000006
【図５】
0003123583.tif 000007
【図６】
0003123583.tif 000008
【図７】
0003123583.tif 000009
【図８】
0003123583.tif 000010
【図９】
0003123583.tif 000011